(57)【要約】【課題】  ユーザの利便性の向上及び携帯性の向上を図ることが可能な携帯型データ入出力装置を提供する。【解決手段】  バッテリ駆動可能な携帯型プロジェクター１００が、データを入力する機能又は前記データを出力する機能を有する本体部１１０と、本体部１１０に着脱可能に取付けられ、本体部１１０に電力を供給する電源ユニット１３０とを備え、電源ユニット１３０が、本体部１１０によって入出力されるデータの受け渡しを携帯型プロジェクター１００の外部と行う外部インターフェース部（有線ポート１３２、外部メモリ受入部１３５又は無線ポート１３６）を有し、外部インターフェース部が、電源ユニット１３０の種類に応じて設けられている。【選択図】  図１
2007004557.tif 000002
【特許請求の範囲】
【請求項１】
バッテリ駆動可能な携帯型データ入出力装置であって、
データを入力する機能又は前記データを出力する機能を有する本体部と、
前記本体部に着脱可能に取付けられ、前記本体部に電力を供給する電源ユニットとを備え、
前記電源ユニットは、前記本体部によって入出力される前記データの受け渡しを前記携帯型データ入出力装置の外部と行う外部インターフェース部を有し、
前記外部インターフェース部は、前記電源ユニットの種類に応じて設けられていることを特徴とする携帯型データ入出力装置。
【請求項２】
前記電源ユニットは、前記本体部に電力を蓄積するバッテリを有するバッテリ電源ユニットであり、
前記バッテリ電源ユニットの前記外部インターフェース部は、前記データを記憶可能な外部メモリを受け入れるメモリ受入部、又は／及び、前記携帯型データ入出力装置の外部と無線で接続される無線ポートであることを特徴とする請求項１に記載の携帯型データ入出力装置。
【請求項３】
前記電源ユニットは、前記携帯型データ入出力装置の外部から有線で電力を取得する有線電源ユニットであり、
前記有線電源ユニットの前記外部インターフェース部は、前記携帯型データ入出力装置の外部と有線で接続される有線ポートであることを特徴とする請求項１又は請求項２に記載の携帯型データ入出力装置。
【請求項４】
前記本体部は、前記バッテリ電源ユニット又は前記有線電源ユニットが着脱可能に取付けられる電源ユニット取付部を有し、
前記電源ユニット取付部は、前記バッテリ電源ユニット及び前記有線電源ユニットによって共用されることを特徴とする請求項３に記載の携帯型データ入出力装置。
【請求項５】
前記本体部は、前記バッテリ電源ユニット又は／及び前記有線電源ユニットの前記外部インターフェース部を介して取得するデータを記憶する記憶部を備えることを特徴とする請求項４に記載の携帯型データ入出力装置。
【発明の詳細な説明】
【技術分野】
【０００１】
本発明は、携帯可能な本体部に着脱可能に取付けられるバッテリ電源ユニットを備える携帯型データ入出力装置に関する。
【背景技術】
【０００２】
従来、携帯可能なサイズを有し、データを入出力する機能を有する携帯型データ入出力装置が広く知られている。なお、携帯型データ入出力装置としては、プロジェクター、スキャナー、ディスプレイやプリンターなどのように、パーソナルコンピュータの周辺機器が挙げられる。
【０００３】
また、コンセントが近くにない状況で使用される場合を想定して、ＡＣアダプターに加えてＤＣバッテリーを有する携帯型データ入出力装置が提案されている。さらに、ＡＣアダプター及びＤＣバッテリーを着脱可能とすることによって、装置の小型化を図っている携帯型データ入出力装置も提案されている（例えば、特許文献１）。
【特許文献１】特開平６−８２７６５号公報（請求項１、〔００１１〕段落、図６及び図７等）
【発明の開示】
【発明が解決しようとする課題】
【０００４】
ここで、携帯型データ入出力装置は、携帯型データ入出力装置の外部とデータの受け渡しを行う外部インターフェース部を有している。また、外部インターフェース部の種類は、ＳＤカードやメモリースティックなどの外部メモリが挿入されるスロット、ＵＳＢに対応するコネクタ、映像入力端子、無線ＬＡＮポートなどのように多岐にわたっている。従って、携帯型データ入出力装置は、ユーザの利便性を向上させるために、複数種類の外部インターフェース部を有している方が好ましい。
【０００５】
しかしながら、携帯型データ入出力装置が有する外部インターフェース部の種類を増やすと、ユーザの利便性が向上するものの、携帯型データ入出力装置のサイズが大きくなってしまい、携帯型データ入出力装置の携帯性が悪化してしまう。
【０００６】
また、ＤＣバッテリから供給される電力で本体部を駆動する場合に、ＡＣアダプターから供給される電力で本体部を駆動する場合に主として用いられる外部インターフェース部が不要となる。すなわち、ユーザの利便性に寄与しない外部インターフェース部が携帯型データ入出力装置の携帯性を阻害する要因となっていた。
【０００７】
そこで、本発明は、上述した課題を解決するためになされたものであり、ユーザの利便性の向上及び携帯性の向上を図ることが可能な携帯型データ入出力装置を提供することを目的とする。
【課題を解決するための手段】
【０００８】
本発明の第１の特徴は、バッテリ駆動可能な携帯型データ入出力装置であって、
データを入力する機能又は前記データを出力する機能を有する本体部（本体部１１０）と、前記本体部に着脱可能に取付けられ、前記本体部に電力を供給する電源ユニット（電源ユニット１３０）とを備え、前記電源ユニットが、前記本体部によって入出力される前記データの受け渡しを前記携帯型データ入出力装置の外部と行う外部インターフェース部（有線ポート１３２、外部メモリ受入部１３５又は無線ポート１３６）を有し、前記外部インターフェース部が、前記電源ユニットの種類に応じて設けられていることを要旨とする。
【０００９】
かかる特徴によれば、電源ユニットが、前記携帯型データ入出力装置の外部との間で、前記本体部によって入出力される前記データの受け渡しをする外部インターフェース部を有することにより、本体部に設けられる外部インターフェース部の種類を減らすことができ、本体部のサイズを小さくすることができる。
【００１０】
また、電源ユニットの種類に応じて外部インターフェース部が電源ユニットに設けられていることにより、ユーザは、携帯型データ入出力装置の利用シーン（例えば、ＡＣ電源を用いて利用する場合、バッテリを用いて利用する場合）に適した外部インターフェース部を用いることができる。
【００１１】
さらに、電源ユニットが、本体部に着脱可能に取付けられることにより、複数種類の電源ユニットを利用可能である場合に、ユーザが利用したい電源ユニットのみを取付けることが可能であり、携帯型データ入出力装置の小型化を図ることができる。
【００１２】
すなわち、電源ユニットが着脱可能であること及び外部インターフェース部が電源ユニットの種類に応じて設けられていることによる相乗効果によって、ユーザの利便性の向上及び携帯型データ入出力装置の携帯性の向上を図ることができる。
【００１３】
本発明の第２の特徴は、本発明の第１の特徴において、前記電源ユニットが、前記本体部に電力を蓄積するバッテリ（バッテリ１３４）を有するバッテリ電源ユニット（バッテリ電源ユニット１３０ｂ）であり、前記バッテリ電源ユニットの前記外部インターフェース部が、前記データを記憶可能な外部メモリを受け入れるメモリ受入部（外部メモリ受入部１３５）、又は／及び、前記携帯型データ入出力装置の外部と無線で接続される無線ポート（無線ポート１３６）であることを要旨とする。
【００１４】
本発明の第３の特徴は、本発明の第１の特徴又は第２の特徴において、前記電源ユニットが、前記携帯型データ入出力装置の外部から有線で電力を取得する有線電源ユニット（有線電源ユニット１３０ａ）であり、前記有線電源ユニットの前記外部インターフェース部が、前記携帯型データ入出力装置の外部と有線で接続される有線ポート（有線ポート１３２）であることを要旨とする。
【００１５】
本発明の第４の特徴は、本発明の第３の特徴において、前記本体部が、前記バッテリ電源ユニット又は前記有線電源ユニットが着脱可能に取付けられる電源ユニット取付部を有し、前記電源ユニット取付部は、前記バッテリ電源ユニット及び前記有線電源ユニットによって共用されることを要旨とする。
【００１６】
本発明の第５の特徴は、本発明の第４の特徴において、前記本体部が、前記バッテリ電源ユニット又は／及び前記有線電源ユニットの前記外部インターフェース部を介して取得するデータを記憶する記憶部を備えることを要旨とする。
【発明の効果】
【００１７】
本発明によれば、ユーザの利便性の向上及び携帯性の向上を図ることが可能な携帯型データ入出力装置を提供することができる。
【発明を実施するための最良の形態】
【００１８】
（携帯型データ入出力装置の構成）
以下において、本発明の一実施形態に係る携帯型データ入出力装置の構成について、図面を参照しながら説明する。図１は、本発明の一実施形態に係る携帯型データ入出力装置を構成する携帯型プロジェクター１００を示す図である。
【００１９】
図１に示すように、携帯型プロジェクター１００は、スクリーン２００上に画像を映し出す。具体的には、携帯型プロジェクター１００は、ＬＥＤなどの光源や液晶パネルなどの光変調素子を収容する本体部１１０と、光変調素子上に表示される画像を拡大する投写レンズ１２０を備える。また、本体部１１０は、本体部１１０に電力を供給する電源ユニット１３０が着脱可能に取付けられる電源ユニット取付部１１１を本体部１１０の下面に有する。
【００２０】
電源ユニット１３０は、後述するように、携帯型プロジェクター１００の外部から電力を取得する有線電源ユニット（後述する有線電源ユニット１３０ａ）、又は、バッテリを有するバッテリ電源ユニット（後述するバッテリ電源ユニット１３０ｂ）である（図２を参照）。
【００２１】
なお、電源ユニット取付部１１１は、有線電源ユニット１３０ａ及びバッテリ電源ユニット１３０ｂによって共用される。
【００２２】
（電源ユニットの構成）
以下において、本発明の一実施形態に係る電源ユニットの構成について、図面を参照しながら説明する。図２（ａ）は、本発明の一実施形態に係る有線電源ユニット１３０ａの構成を示す図であり、図２（ｂ）は、本発明の一実施形態に係るバッテリ電源ユニット１３０ｂの構成を示す図である。
【００２３】
図２（ａ）に示すように、有線電源ユニット１３０ａは、コード接続部１３１と、有線ポート１３２と、角度調節部材１３３とを有する。なお、本実施形態において、有線電源ユニット１３０ａは、交流電源を直流電源に変換するＡＣアダプターを有するＡＣ電源ユニットである。
【００２４】
コード接続部１３１には、コンセントに差し込まれるプラグを有する電源コードが接続される。また、コード接続部１３１には、電源コードを介してコンセントから交流電源が供給される。
【００２５】
有線ポート１３２は、携帯型プロジェクター１００の外部から有線でデータを取得する外部インターフェース部を構成する。具体的には、有線ポート１３２は、ＵＳＢに対応するコネクタ、イーサネット（登録商標）に対応するコネクタ、ＩＥＥＥ１３９４に対応するコネクタ、ミニＤ  Ｓｕｂ１５ピンコネクタ、ＤＶ−１端子などである。
【００２６】
角度調節部材１３３は、螺旋状に切られた溝を有しており、角度調節部材１３３を回動させると、携帯型プロジェクター１００の上下方向の角度が調節される。
【００２７】
図２（ｂ）に示すように、バッテリ電源ユニット１３０ｂは、角度調節部材１３３と、バッテリ１３４と、外部メモリ受入部１３５と、無線ポート１３６とを有する。
【００２８】
バッテリ１３４は、所定量の電力を蓄える電池であり、アルカリ電池やリチウム電池などの一次電池であってもよく、ニッケル水素電池やリチウムイオン電池などの二次電池であってもよい。また、バッテリ１３４は、固体高分子形やリン酸形などの燃料電池であってもよい。
【００２９】
外部メモリ受入部１３５は、データを記憶可能な外部メモリを受け入れるスロット等である。具体的には、外部メモリ受入部１３５は、コンパクトフラッシュ（登録商標）、ＳＤメモリカードやメモリースティック等の半導体メモリ、ＣＤ−ＲＯＭやＤＶＤ−ＲＯＭ等の光ディスクなどの外部メモリを受け入れるスロットである。また、外部メモリ受入部１３５は、ハードディスクドライブを受け入れる受入口であってもよい。なお、外部メモリ受入部１３５の形状は、特にスロット形状に限定されるものではない。
【００３０】
無線ポート１３６は、携帯型プロジェクター１００の外部から無線でデータを取得する外部インターフェース部を構成する。具体的には、無線ポート１３６は、ＩＥＥＥ８０２．１１ａ／ｂ／ｇ／ｅ等に対応するポート、Ｂｌｕｅｔｏｏｔｈ（登録商標）に対応するポート、ＵＷＢ（Ultra  Wide  Band）に対応するポートなどである。
【００３１】
（携帯型データ入出力装置の機能ブロック）
以下において、本発明の一実施形態に係る携帯型データ入出力装置の機能ブロックについて、図面を参照しながら説明する。図３及び図４は、本発明の一実施形態に係る携帯型プロジェクター１００の機能ブロックを示す図である。なお、図３は、有線電源ユニット１３０ａが本体部１１０の電源ユニット取付部１１１に取付けられた状態を示しており、図４は、バッテリ電源ユニット１３０ｂが本体部１１０の電源ユニット取付部１１１に取付けられた状態を示している。
【００３２】
まず、有線電源ユニット１３０ａが本体部１１０の電源ユニット取付部１１１に取付けられる場合について説明する。図３に示すように、本体部１１０は、電源ユニット接続部１１２と、データ入出力Ｉ／Ｆ１１３と、光学系ユニット１１４と、制御部１１５とを有する。また、有線電源ユニット１３０ａは、コード接続部１３１と、有線ポート１３２と、ＡＣアダプター１３７と、データ入出力Ｉ／Ｆ１３８とを有する。
【００３３】
電源ユニット接続部１１２は、有線電源ユニット１３０ａのＡＣアダプター１３７に接続される。また、電源ユニット接続部１１２は、ＡＣアダプター１３７から取得する直流電源をデータ入出力Ｉ／Ｆ１１３、光学系ユニット１１４及び制御部１１５に供給する。
【００３４】
データ入出力Ｉ／Ｆ１１３は、有線電源ユニット１３０ａのデータ入出力Ｉ／Ｆ１３８に接続される。また、データ入出力Ｉ／Ｆ１１３は、データ入出力Ｉ／Ｆ１３８を介して有線ポート１３２から取得するデータを光学系ユニット１１４に入力する。
【００３５】
光学系ユニット１１４は、光源、液晶パネルや投写レンズ１２０（図３では不図示）などによって構成され、データ入出力Ｉ／Ｆ１１３から取得するデータに基づいて、スクリーン２００上に画像を表示する。
【００３６】
制御部１１５は、携帯型プロジェクター１００の動作を制御しており、具体的には、電源ユニット接続部１１２、データ入出力Ｉ／Ｆ１１３及び光学系ユニット１１４を制御プログラムに従って制御する。
【００３７】
コード接続部１３１には、上述したように、電源コードを介してコンセントから交流電源が供給される。
【００３８】
有線ポート１３２は、上述したように、携帯型プロジェクター１００の外部から有線でデータを取得する。また、有線ポート１３２は、取得したデータを本体部１１０のデータ入出力Ｉ／Ｆ１１３に出力する。
【００３９】
ＡＣアダプター１３７は、コード接続部１３１に供給される交流電源を直流電源に変換するとともに、本体部１１０の電源ユニット接続部１１２に直流電源を供給する。
【００４０】
データ入出力Ｉ／Ｆ１３８は、本体部１１０のデータ入出力Ｉ／Ｆ１１３に接続される。また、データ入出力Ｉ／Ｆ１３８は、有線ポート１３２から取得するデータをデータ入出力Ｉ／Ｆ１１３に入力する。
【００４１】
次に、バッテリ電源ユニット１３０ｂが本体部１１０の電源ユニット取付部１１１に取付けられる場合について説明する。なお、以下においては、図３との相違点を主として説明する。
【００４２】
本体部１１０は、図３と同様に、電源ユニット接続部１１２と、データ入出力Ｉ／Ｆ１１３と、光学系ユニット１１４と、制御部１１５とを有する。また、バッテリ電源ユニット１３０ｂは、バッテリ１３４と、外部メモリ受入部１３５と、無線ポート１３６と、データ入出力Ｉ／Ｆ１３９とを有する。
【００４３】
本体部１１０の電源ユニット接続部１１２は、バッテリ電源ユニット１３０ｂのバッテリ１３４に接続される。また、電源ユニット接続部１１２は、バッテリ１３４から取得する直流電源をデータ入出力Ｉ／Ｆ１１３、光学系ユニット１１４及び制御部１１５に供給する。
【００４４】
本体部１１０のデータ入出力Ｉ／Ｆ１１３は、バッテリ電源ユニット１３０ｂのデータ入出力Ｉ／Ｆ１３９に接続される。また、データ入出力Ｉ／Ｆ１１３は、データ入出力Ｉ／Ｆ１３９を介して外部メモリ受入部１３５又は無線ポート１３６から取得するデータを光学系ユニット１１４に入力する。
【００４５】
バッテリ１３４は、上述したように、所定量の電力を蓄える電池である。また、外部メモリ受入部１３５は、データを記憶可能な外部メモリを受け入れるスロットであり、無線ポート１３６は、携帯型プロジェクター１００の外部から無線でデータを取得する。
【００４６】
データ入出力Ｉ／Ｆ１３９は、本体部１１０のデータ入出力Ｉ／Ｆ１１３に接続される。また、データ入出力Ｉ／Ｆ１３９は、外部メモリ受入部１３５又は無線ポート１３６から取得するデータをデータ入出力Ｉ／Ｆ１１３に入力する。
【００４７】
（作用及び効果）
本発明の一実施形態に係る携帯型プロジェクター１００によれば、有線電源ユニット１３０ａは、ＡＣアダプター１３７に加えて、外部インターフェース部を構成する有線ポート１３２を有する。また、バッテリ電源ユニット１３０ｂは、バッテリ１３４に加えて、外部インターフェース部を構成する外部メモリ受入部１３５及び無線ポート１３６を有する。
【００４８】
従って、携帯型プロジェクター１００の本体部１１０に設けられる外部インターフェース部の種類を減らすことができ、本体部１１０のサイズを小さくすることができる。また、ユーザは、携帯型プロジェクター１００の利用シーン（例えば、ＡＣ電源を用いて利用する場合、バッテリ１３４を用いて利用する場合）に適した外部インターフェース部を用いることができる。
【００４９】
さらに、有線電源ユニット１３０ａ又はバッテリ電源ユニット１３０ｂが、本体部１１０に着脱可能に取付けられることにより、ユーザが利用したい電源ユニットのみを取付けることが可能であり、携帯型プロジェクター１００の小型化を図ることができる。
【００５０】
すなわち、電源ユニットが着脱可能であること及び外部インターフェース部が電源ユニットの種類に応じて設けられていることによる相乗効果によって、ユーザの利便性の向上、携帯型プロジェクター１００の携帯性の向上を図ることができる。
【００５１】
（変更例）
以下において、上述した実施形態の変更例について、図面を参照しながら説明する。なお、以下においては、上述した実施形態との相違点を主として説明する。
【００５２】
具体的には、上述した実施形態では、携帯型データ入出力装置は、画像を出力する携帯型プロジェクター１００であるが、本変更例では、画像を読み取る携帯型スキャナー、データを紙上に出力する携帯型プリンター、画像を表示する携帯型ビューワーである。
【００５３】
図５（ａ）は、本発明の一変更例に係る携帯型スキャナー３００を示す図であり、図５（ｂ）は、本発明の一変更例に係る携帯型プリンター４００であり、図５（ｃ）は、本発明の一変更例に係る携帯型ビューワー５００である。
【００５４】
図５（ａ）に示すように、携帯型スキャナー３００は、例えば、画像や文字などを読み取ることが可能なハンディスキャナ等であり、画像や文字を読み取る本体部３１０と、本体部３１０に着脱可能に取付けられる電源ユニット３２０とを有する。なお、電源ユニット３２０は、上述した電源ユニット１３０と同様に、有線電源ユニット１３０ａ又はバッテリ電源ユニット１３０ｂである。
【００５５】
ここで、有線電源ユニット１３０ａの有線ポート１３２は、携帯型スキャナー３００の外部に有線でデータを出力するデータ出力部を構成する。具体的には、有線ポート１３２は、ＵＳＢに対応するコネクタ、イーサネット（登録商標）に対応するコネクタ、ＩＥＥＥ１３９４に対応するコネクタ、ミニＤ  Ｓｕｂ１５ピンコネクタ、ＤＶ−１端子などである。
【００５６】
また、バッテリ電源ユニット１３０ｂの無線ポート１３６は、携帯型スキャナー３００の外部に無線でデータを出力するデータ出力部を構成する。具体的には、無線ポート１３６は、ＩＥＥＥ８０２．１１ａ／ｂ／ｇ／ｅ等に対応するポート、Ｂｌｕｅｔｏｏｔｈに対応するポート、ＵＷＢに対応するポートなどである。
【００５７】
すなわち、本体部３１０によって読み取られたデータは、有線電源ユニット１３０ａの有線ポート１３２、バッテリ電源ユニット１３０ｂの外部メモリ受入部１３５又は無線ポート１３６によって、携帯型スキャナー３００の外部に出力される。
【００５８】
図５（ｂ）に示すように、携帯型プリンター４００は、例えば、デジタルカメラなどによって撮像された画像データを紙上に出力可能なフォトプリンターなどであり、データを紙上に出力する本体部４１０と、本体部４１０に着脱可能に取付けられる電源ユニット４２０とを有する。なお、電源ユニット４２０は、上述した電源ユニット１３０と同様に、有線電源ユニット１３０ａ又はバッテリ電源ユニット１３０ｂである。
【００５９】
また、本体部４１０は、有線電源ユニット１３０ａの有線ポート１３２、バッテリ電源ユニット１３０ｂの外部メモリ受入部１３５又は無線ポート１３６から取得するデータを紙上に出力する。
【００６０】
図５（ｃ）に示すように、携帯型ビューワー５００は、画像を表示領域上に表示する本体部５１０と、本体部５１０に着脱可能に取付けられる電源ユニット５２０とを有する。なお、電源ユニット５２０は、上述した電源ユニット１３０と同様に、有線電源ユニット１３０ａ又はバッテリ電源ユニット１３０ｂである。
【００６１】
また、本体部５１０は、有線電源ユニット１３０ａの有線ポート１３２、バッテリ電源ユニット１３０ｂの外部メモリ受入部１３５又は無線ポート１３６から取得するデータに基づいて、画像を表示領域上に表示する。
【００６２】
（その他の変更例）
上述した実施形態において、電源ユニット１３０は、有線電源ユニット１３０ａ又はバッテリ電源ユニット１３０ｂであるが、これに限定されるものではなく、本体部１１０に無線で電力を供給する無線電源ユニットであってもよい。
【００６３】
また、上述した実施形態において、有線電源ユニット１３０ａは、ＡＣアダプターを有するＡＣ電源ユニットであるが、これに限定されるものではなく、ＵＳＢケーブルを介して電力を取得するＵＳＢ電源ユニット（ＵＳＢポート）であってもよい。
【００６４】
さらに、上述した実施形態において、有線電源ユニット１３０ａが有線ポート１３２を有し、バッテリ電源ユニット１３０ｂが外部メモリ受入部１３５及び無線ポート１３６を有するが、これに限定されるものではなく、電源ユニット１３０が電源ユニット１３０の種類に応じた外部インターフェース部を有していればよい。例えば、有線電源ユニット１３０ａが外部メモリ受入部や無線ポートを有していてもよく、バッテリ電源ユニット１３０ｂがＵＳＢポートを有していてもよい。ここで、バッテリ電源ユニット１３０ｂは、ＵＳＢポートなどの有線ポートを有している場合に、着脱できない記憶部としてＨＤＤやメモリなどを有していてもよい。このようなバッテリ電源ユニット１３０ｂによれば、有線ポートを介して取得したデータをＨＤＤやメモリなどの記憶部に予め記憶しておくことによって、実際に携帯型プロジェクター１００を使用する際に有線ポートを介してデータを取得しなくても、携帯型プロジェクター１００がデータを出力することができる。なお、バッテリ電源ユニット１３０ｂは、有線ポートではなく、上述したデータ入出力Ｉ／Ｆ１３９を介して携帯型プロジェクター１００の外部からデータを取得してもよい。
【００６５】
また、上述した実施形態において、バッテリ電源ユニット１３０ｂは、外部メモリ受入部１３５及び無線ポート１３６を有するが、これに限定されるものではなく、外部メモリ受入部１３５及び無線ポート１３６のいずれか一方のみを備えていてもよい。
【００６６】
さらに、上述した実施形態では特に触れていないが、携帯型プロジェクター１００の本体部１１０は、携帯型プロジェクター１００の外部と受け渡しが行われるデータを中継して記憶する記憶部を有していてもよい。なお、この記憶部は、データを中継して記憶する機能を有していればよく、小型で簡易なものであることが好ましい。このような携帯型プロジェクター１００によれば、例えば、バッテリ電源ユニット１３０ｂの外部メモリ受入部１３５を介して取得したデータを記憶部に記憶した後に、電源ユニット１３０を有線電源ユニット１３０ａに取り替えて、記憶部に記憶されたデータを有線電源ユニット１３０ａの有線ポート１３２を介してパーソナルコンピュータ等に移すことができる。すなわち、外部メモリを受け入れるスロットをパーソナルコンピュータ等が有していなくても、本体部１１０の記憶部を中継してデータを移すことができ、ユーザの利便性が向上する。
【００６７】
また、上述した実施形態及び変更例において、携帯型データ入出力装置は、携帯型プロジェクター１００、携帯型スキャナー３００、携帯型プリンター４００又は携帯型ビューワー５００であるが、これに限定されるものではなく、カメラやビデオカメラなどの撮像装置、ポータブルＤＶＤなどのポータブルプレーヤー、モバイルテレビなどであってもよい。
【図面の簡単な説明】
【００６８】
【図１】本発明の一実施形態に係る REF n_100_投写型映像装置  \* MERGEFORMAT 携帯型プロジェクター１００を示す図である。
【図２】本発明の一実施形態に係る電源ユニット１３０を示す図である。
【図３】本発明の一実施形態に係る携帯型プロジェクター１００の機能ブロックを示す図である（その１）。
【図４】本発明の一実施形態に係る携帯型プロジェクター１００の機能ブロックを示す図である（その２）。
【図５】本発明の一変更例に係る携帯型データ入出力装置を示す図である。
【符号の説明】
【００６９】
１００・・・携帯型プロジェクター、１１０・・・本体部、１１１・・・電源ユニット取付部、１１２・・・電源ユニット接続部、１１３・・・データ入出力Ｉ／Ｆ、１１４・・・光学系ユニット、１１５・・・制御部、１２０・・・投写レンズ、１３０・・・電源ユニット、１３０ａ・・・ＡＣ電源ユニット、１３０ｂ・・・バッテリ電源ユニット、１３１・・・コード接続部、１３２・・・有線ポート、１３３・・・角度調節部材、１３４・・・バッテリ、１３５・・・外部メモリ受入部、１３６・・・無線ポート、１３７・・・ＡＣアダプター、１３８・・・データ入出力Ｉ／Ｆ、１３９・・・データ入出力Ｉ／Ｆ、２００・・・スクリーン、３００・・・携帯型スキャナー、３１０・・・本体部、３２０・・・電源ユニット、４００・・・携帯型プリンター、４１０・・・本体部、４２０・・・電源ユニット、５００・・・携帯型ビューワー、５１０・・・本体部、５２０・・・電源ユニット
【図１】
2007004557.tif 000003
【図２】
2007004557.tif 000004
【図３】
2007004557.tif 000005
【図４】
2007004557.tif 000006
【図５】
2007004557.tif 000007